(57)【要約】  座板２と、座板２の下方で地面と接触して、椅子の構造を支持するベース３と、上端部が座板２の後方部分に回動可能に固定され、下端部がベース３の前方部分に回動可能に固定される伸縮支持ユニット６００と、上端部が座板２の前方部分に回動可能に固定され、下端部がベース３の後方部分に回動可能に固定される第２支持ロッド１２と、伸縮支持ユニット６００と第２支持ロッドとの回動経路を案内するガイドロッド１３と、を備える立ち座り便利な椅子である。これにより、ユーザの体重が座板に加えられれば、座板の角度が変化しつつ徐々に下がることで、容易かつ安全に椅子に座ることができ、容易に立つことも助ける。
2013527002.tif 000002
【特許請求の範囲】
【請求項１】
ショックアブソーバー及びスプリング、または電動シリンダを利用して、ユーザの体重が座板に加えられれば、座ろうとする身体の大腿部と臀部との角度変化によって、座板も角度変化が起こり、徐々かつ滑らかに下側に下がることで、ユーザが容易かつ安全に座るように助け、逆に座ったユーザが立とうとする時には、座板が角度変化と共に上側に押して上がることで、ユーザが容易かつ安全に立つように助ける構造を有することを特徴とする立ち座り便利な椅子。
【請求項２】
ユーザの臀部が触れて座る座板２と、
前記座板２の下方で、地面と接触して椅子の構造を支持するベース３と、
上端部が前記座板２の後方部分に回動可能に固定され、下端部が前記ベース３の前方部分に回動可能に固定される伸縮支持ユニット６００と、
上端部が前記座板２の前方部分に回動可能に固定され、下端部が前記ベース３の後方部分に回動可能に固定される第２支持ロッド１２と、
下端部が前記ベース３に固定され、前記伸縮支持ユニット６００と第２支持ロッド１２との間に配置され、前記伸縮支持ユニット６００と前記第２支持ロッドとの回動経路を案内するガイドロッド１３と、を備えることを特徴とする立ち座り便利な椅子。
【請求項３】
前記伸縮支持ユニット６００は、下端部が前記ベース３の前方部分に回動可能に固定された第１支持ロッド１１と、前記第１支持ロッド１１の上端部に一端が結合されたショックアブソーバー１５とを備え、
前記ショックアブソーバー１５の他端は、前記座板２の後方部分に回動可能に固定されたことを特徴とする請求項２に記載の立ち座り便利な椅子。
【請求項４】
前記伸縮支持ユニット６００は、下端部が前記ベース３の前方部分に回動可能に固定された第１支持ロッド１１と、前記第１支持ロッド１１の上端部に一端が結合された電動シリンダとを備え、
前記電動シリンダの他端は、前記座板２の後方部分に回動可能に固定されたことを特徴とする請求項２に記載の立ち座り便利な椅子。
【請求項５】
前記第１支持ロッド１１の全長のうち一部分に、その長手方向に沿って第１移動溝１１ａが長い溝の形態で形成され、前記第２支持ロッド１２の全長のうち一部分に、その長手方向に沿って第２移動溝１２ａが長い溝の形態で形成され、前記ガイドロッド１３の全長のうち一部分に、その長手方向に沿ってガイド長溝１３ａが形成され、
支持ロッド連結ピン１７が、前記第１移動溝１１ａ、第２移動溝１２ａ及びガイド長溝１３ａを貫通して締結されることで、前記第１支持ロッド１１、第２支持ロッド１２及びガイドロッド１３が互いに位置変更が可能な状態に結合されたことを特徴とする請求項３に記載の立ち座り便利な椅子。
【請求項６】
前記ショックアブソーバー１５は、
第１支持ロッド１１と前記座板２の後方部分との間に位置する外部ハウジング１５５と、
前記外部ハウジング１５５の内部に配置された内部シリンダ１６０と、
ヘッド１６ａが前記内部シリンダ１６０内で移動可能であり、前記ヘッドと連結された部分の反対側端部が前記座板２と連結されるピストンロッド１６と、
前記内部シリンダ１６０内に設けられて、前記ピストンヘッド１６ａを押すように弾性力を発揮するスプリング１５８と、
前記内部シリンダ１６０の下端部に形成された第１オリフィス１５１と、
前記外部ハウジング１５５と前記内部シリンダ１６０との間に形成された第２オリフィス１５２と、
前記内部シリンダ１６０の上端部に形成された第３オリフィス１５３と、
前記外部ハウジング１５５の内部空間を満たした作動流体１５７と、を備え、
ユーザが前記座板２に座る時は、前記ショックアブソーバー１５が徐々に収縮し、ユーザが前記座板２から立とうとする時は、前記スプリング１５８の弾性力が発揮され、前記ショックアブソーバー１５が徐々に伸張することを特徴とする請求項３に記載の立ち座り便利な椅子。
【請求項７】
前記ショックアブソーバー１５は、
第１支持ロッド１１と前記座板２の後方部分との間に位置する外部ハウジング１５５と、
前記外部ハウジング１５５の内部に配置された内部シリンダ１６０と、
ヘッド１６ａが前記内部シリンダ１６０内で移動可能であり、前記ヘッドと連結された部分の反対側端部が前記座板２と連結されるピストンロッド１６と、
前記ピストンロッド１６上に形成されたスプリング固定突起１５８ｂと、
前記外部ハウジング１５５の上部カバー１５５ｂと前記スプリング固定突起１５８ｂとの間で、前記ピストンロッド１６を囲んで設置された外部スプリング１５８ａと、
前記内部シリンダ１６０の下端部に形成された第１オリフィス１５１と、
前記外部ハウジング１５５と前記内部シリンダ１６０との間に形成された第２オリフィス１５２と、
前記内部シリンダ１６０の上端部に形成された第３オリフィス１５３と、
前記外部ハウジング１５５の内部空間を満たした作動流体１５７と、を備え、
ユーザが前記座板２に座る時は、前記ショックアブソーバー１５が徐々に収縮し、ユーザが前記座板２から立とうとする時は、前記外部スプリング１５８ａの弾性力が発揮され、前記ショックアブソーバー１５が伸張することを特徴とする請求項３に記載の立ち座り便利な椅子。
【請求項８】
前記ショックアブソーバー１５の第１ないし第３オリフィス１５１，１５２，１５３のうち少なくともいずれか一つに隣接した位置に、調節ブロック１７１が設置され、前記調節ブロック１７１の位置を可変できる調節ノブ１７０が、前記外部ハウジング１５５上に設置されることで、
前記調節ノブ１７０を操作すれば、前記調節ブロック１７１が、前記第１ないし第３オリフィス１５１，１５２，１５３のうち少なくともいずれか一つの面積の一部あるいは全体を開閉し、その結果、前記伸縮支持ユニット６００の作動速度を調節したり、現在位置で固定させたりすることを特徴とする請求項６または７に記載の立ち座り便利な椅子。
【請求項９】
ユーザの臀部が触れて座る主座板２ａと、
前記主座板２ａの前方に位置し、前記主座板２ａとは連結部材２ｃにより連結された補助座板２ｂと、
前記主座板２ａと補助座板２ｂとの下方で、地面と接触して椅子の構造を支持するベース３と、
上端部が前記主座板２ａの底面に固定され、下端部が前記ベース３に固定された伸縮支持ユニット６０１と、
一端が前記補助座板２ｂに回動可能に固定され、他端が前記伸縮支持ユニット６０１に回動可能に固定された補助座板支持連結棒３０３と、を備えることを特徴とする立ち座り便利な椅子。
【請求項１０】
前記伸縮支持ユニット６０１は、
前記ベース３に立てられて固定された外筒３００と、
前記外筒３００内に設置されたショックアブソーバー３１０と、
下端部が前記外筒３００内のショックアブソーバー３１０に連結され、上端部が前記主座板２ａの底面に固定されたスピンドル２００と、
前記スピンドル２００の周囲を巻きつけて設置されたスプリング２０３と、を備え、
前記主座板２ａと前記補助座板２ｂとは、互いに連結された状態で上下方向に移動可能であり、
ユーザが前記主座板２ａ及び補助座板２ｂに座る時は、前記ショックアブソーバー３１０が徐々に収縮し、ユーザが前記座板から立とうとする時は、前記スプリング２０３の弾性力が発揮され、前記ショックアブソーバー３１０が徐々に伸張することを特徴とする請求項９に記載の立ち座り便利な椅子。
【請求項１１】
前記伸縮支持ユニット６０１は、
前記ベース３に立てられて固定された外筒３００と、
前記外筒３００内に設置されたショックアブソーバー３１０と、
下端部が前記外筒３００内のショックアブソーバー３１０に連結され、上端部が前記主座板２ａの底面に固定されたスピンドル２００と、
前記ショックアブソーバー３１０の内部に設けられて、ショックアブソーバーが伸張するように弾性力を発揮するスプリングと、を備え、
前記主座板２ａと前記補助座板２ｂとは、互いに連結された状態で上下方向に移動可能であり、
ユーザが前記主座板２ａ及び補助座板２ｂに座る時は、前記ショックアブソーバー３１０が徐々に収縮し、ユーザが前記座板から立とうとする時は、前記スプリングの弾性力が発揮され、前記ショックアブソーバー１５が徐々に伸張することを特徴とする請求項９に記載の立ち座り便利な椅子。
【請求項１２】
前記伸縮支持ユニット６０１は、
前記ベース３に立てられて固定された外筒３００と、
前記外筒３００内に設置された電動シリンダと、
下端部が前記外筒３００内の電動シリンダに連結され、上端部が前記主座板２ａの底面に固定されたスピンドル２００と、を備え、
前記主座板２ａと前記補助座板２ｂとは、互いに連結された状態で上下方向に移動可能であり、
前記電動シリンダの収縮または伸張によって、前記主座板２ａが下降または上昇することを特徴とする請求項９に記載の立ち座り便利な椅子。
【請求項１３】
前記外筒３００は、前記ベース３に対する垂直方向から前記補助座板２ｂに向かって１〜１０゜ほど傾いた状態で、前記ベース３上に設置されたことを特徴とする請求項１０、１１及び１２のうちいずれか一項に記載の立ち座り便利な椅子。
【請求項１４】
ユーザの臀部が触れて座る座板２と、
上端部が前記座板２の後方部分に回動可能に固定され、下端部が前記座板２の前方部分の下方で、地面に接触して支持される伸縮支持ユニット６０２と、
上端部が前記座板２の前方部分に回動可能に固定され、下端部が前記座板２の後方部分の下方で、地面に接触して支持される第２支持ロッド１２と、を備え、
前記伸縮支持ユニット６０２は、下端部が地面と接触して支持される第１支持ロッド１１、及び下端部が前記第１支持ロッド１１と連結され、上端部が前記座板２の後方部分に連結されたショックアブソーバー１５を備え、
前記第１支持ロッド１１と前記第２支持ロッド１２とは、互いにＸ字形態に交差された状態で、ロッド締結ピン４００により互いに回動可能に結合されたことを特徴とする立ち座り便利な椅子。
【請求項１５】
前記第２支持ロッド１２の下端部は、ベース３との結合によって位置が固定され、前記第１支持ロッド１１の下端部は、ホイール３１ａが設けられて、ユーザが椅子に座れば、前記第１支持ロッド１１の下端部が椅子の前方に向かって移動していて、ユーザが椅子から立てれば、前記第１支持ロッド１１の下端部が椅子の後方に向かって移動することを特徴とする請求項１４に記載の立ち座り便利な椅子。
【請求項１６】
前記第１支持ロッド１１の下端部は、ベース３との結合によって位置が固定され、前記第２支持ロッド１２の下端部は、ホイール３２ｂが設けられて、ユーザが椅子に座れば、前記第２支持ロッド１２の下端部が椅子の前方に向かって移動していて、ユーザが椅子から立てれば、前記第２支持ロッド１２の下端部が椅子の後方に向かって移動することを特徴とする請求項１４に記載の立ち座り便利な椅子。
【請求項１７】
ユーザの臀部が触れて座る座板２と、
上端部が前記座板２の後方に向かい、下端部が前記座板２の前方部分の下方で、地面に接触して支持される第１支持ロッド４０１と、
上端部が前記座板２の前方部分に回動可能に固定され、下端部が前記座板２の後方部分の下方で、地面に接触して支持される第２支持ロッド４０２と、
下端が前記第１支持ロッド４０１の上端部と締結ピン６５１により回動可能にピン結合され、前記座板２の前端部と後端部との間に位置した力作用地点２３に、その上端が回動可能に結合されることで、前記座板２と前記第２支持ロッド４０２とを連結する連結ロッド６５０と、
前記第１支持ロッド４０１と前記第２支持ロッド４０２との交差地点をピン結合するロッド締結ピン４００と、
前記力作用地点２３と前記ロッド締結ピン４００との間に設置されたショックアブソーバー４５０と、を備えることを特徴とする立ち座り便利な椅子。
【請求項１８】
前記第１支持ロッド４０１の上端部と、前記第２支持ロッド４０２の下端部との間に設置された第２ショックアブソーバー４６０をさらに備えることを特徴とする請求項１７に記載の立ち座り便利な椅子。
【請求項１９】
ユーザの臀部が触れて座る座板２と、
上端部が前記座板２の前方部分に回動可能に固定され、下端部が前記座板２の後方部分の下方で、地面に位置が固定された状態で回動可能に支持される基本支持ロッド５００と、
上端部が前記基本支持ロッド５００の長手方向に回動可能に固定され、下端部が前記座板２の前方部分の下方で、地面に位置が固定された状態で回動可能に支持される第１ショックアブソーバー５１０と、
上端部が前記座板２の後方部分に回動可能に固定され、下端部が前記基本支持ロッド５００の長手方向に回動可能に固定される第２ショックアブソーバー５２０と、を備えることを特徴とする立ち座り便利な椅子。
【請求項２０】
ユーザの臀部が触れて座る座板２と、
上端部が前記座板２の後方部分に回動可能に固定され、下端部が前記座板２の前方部分の下方で、地面に接触して支持される伸縮支持ユニット６０２と、
上端部が前記座板２の前方部分に回動可能に固定され、下端部が前記座板２の後方部分の下方で、地面に接触して支持される第２支持ロッド１２と、を備え、
前記伸縮支持ユニット６０２は、下端部が地面と接触して支持される第１支持ロッド１１、及び下端部が前記第１支持ロッド１１と連結され、上端部が前記座板２の後方部分に連結された電動シリンダを備え、
前記第１支持ロッド１１と前記第２支持ロッド１２とは、互いにＸ字形態に交差された状態で、ロッド締結ピン４００により互いに回動可能に結合されたことを特徴とする立ち座り便利な椅子。
【請求項２１】
ユーザの臀部が触れて座る座板２と、
上端部が前記座板２の後方に向かい、下端部が前記座板２の前方部分の下方で、地面に接触して支持される第１支持ロッド４０１と、
上端部が前記座板２の前方部分に回動可能に固定され、下端部が前記座板２の後方部分の下方で、地面に接触して支持される第２支持ロッド４０２と、
下端が前記第１支持ロッド４０１の上端部と締結ピン６５１により回動可能にピン結合され、前記座板２の前端部と後端部との間に位置した力作用地点２３に、その上端が回動可能に結合されることで、前記座板２と前記第２支持ロッド４０２とを連結する連結ロッド６５０と、
前記第１支持ロッド４０１と前記第２支持ロッド４０２との交差地点をピン結合するロッド締結ピン４００と、
前記力作用地点２３と前記ロッド締結ピン４００との間に設置された電動シリンダと、を備えることを特徴とする立ち座り便利な椅子。
【請求項２２】
前記第１支持ロッド４０１の上端部と、前記第２支持ロッド４０２の下端部との間に設置された第２電動シリンダをさらに備えることを特徴とする請求項２１に記載の立ち座り便利な椅子。
【請求項２３】
ユーザの臀部が触れて座る座板２と、
上端部が前記座板２の前方部分に回動可能に固定され、下端部が前記座板２の後方部分の下方で、地面に位置が固定された状態で回動可能に支持される基本支持ロッド５００と、
上端部が前記基本支持ロッド５００の長手方向に回動可能に固定され、下端部が前記座板２の前方部分の下方で、地面に位置が固定された状態で回動可能に支持される電動シリンダと、
上端部が前記座板２の後方部分に回動可能に固定され、下端部が前記基本支持ロッド５００の長手方向に回動可能に固定される電動シリンダと、を備えることを特徴とする立ち座り便利な椅子。
【発明の詳細な説明】
【技術分野】
【０００１】
本発明は、立ち座り便利な椅子に係り、特に、ユーザの体重が座板に加えられれば、前記座板に連結されたショックアブソーバーがその衝撃を吸収して、座板が人体の動きによって角度が変換され、徐々かつ滑らかに下側に下がることで、ユーザが容易かつ安全に椅子に座るように助け、逆に椅子に座ったユーザが立ち上がる時には、座った状態で少し体重を前方に移すか、あるいは立とうとする動作を取れば、ショックアブソーバーに共に装着されたスプリングの弾性力によって、座板が角度変化と共に上側に押して上がることで、ユーザが容易かつ安全に椅子から立つように助ける椅子に関する。
【背景技術】
【０００２】
最近、韓国だけでなく、アメリカ、日本、ヨーロッパなどの先進国は、医療技術の発達及び健康に関する関心の高まりによって、高齢者の人口数が急増しているので、それによって、高齢者の疾病治療と予防のための医療環境の側面だけでなく、高齢者が日常生活中にさらに便利かつ安全に生活するように助ける適切な設備と生活用品の開発がさらに重要になっている。例えば、腰、股関節、膝などの関節部分の悪い高齢者の場合には、部屋の床に／から座る／立つことが非常に困難であるので、椅子をよく利用する必要があるが、従来の一般的な椅子を利用する場合には、椅子に座る時に関節を十分に利用できずにどんと座るので、身体の多くの関節に無理になり、また、椅子から立つ時にも、何かを握らなければ、自力で立ちがたい場合が多いなど日常生活に多くの不都合がある。
【０００３】
また、現代社会は、各種の産業災害または交通災害などによって、脊椎、腰あるいは足関節に損傷を被った患者も多く発生しているが、このように腰あるいは足関節に損傷を被った患者の場合には、急に椅子に身を投げ出すように座ったり、あるいは立つ時に無理な力を使えば、身体に非常に悪い結果をもたらす。
【０００４】
したがって、このように腰あるいは足関節などに異常のある高齢者や患者のために、困難さなしに安全かつ便利に椅子に／から座る／立つように助ける新たなタイプの機能性椅子を開発する必要性があった。
【発明の概要】
【発明が解決しようとする課題】
【０００５】
本発明の目的は、ユーザの臀部が触れる座板が、角度が変化して上下に移動可能な構造を有し、特に、ユーザの体重が座板に加えられれば、前記座板を支持するショックアブソーバーがその衝撃を吸収して、座板が徐々かつ滑らかに角度の変化によって下側に下がることで、ユーザが容易かつ安全に椅子に座るように助け、逆に立つ時には、少し体重を前方に移せば、ショックアブソーバーに共に装着されたスプリングの弾性力によって、座板が上側に角度の変化によって押して上がるので、ユーザが容易かつ安全に椅子から立つように助ける椅子を提供することである。
【課題を解決するための手段】
【０００６】
前記目的を達成するために、本発明により提供された立ち座り便利な椅子は、ユーザの臀部が触れて座る座板２と、前記座板２の下方で地面と接触して椅子の構造を支持するベース３と、上端部が前記座板２の後方部分に回動可能に固定され、下端部が前記ベース３の前方部分に回動可能に固定される伸縮支持ユニット６００と、上端部が前記座板２の前方部分に回動可能に固定され、下端部が前記ベース３の後方部分に回動可能に固定される第２支持ロッド１２と、下端部が前記ベース３に固定され、前記伸縮支持ユニット６００と第２支持ロッド１２との間に配置され、前記伸縮支持ユニット６００と前記第２支持ロッドとの回動経路を案内するガイドロッド１３と、を備えることを特徴とする。
【０００７】
前記目的を達成するために、本発明により提供された他の立ち座り便利な椅子は、ユーザの臀部が触れて座る主座板２ａと、前記主座板２ａの前方に位置し、前記主座板２ａとは連結部材２ｃにより連結された補助座板２ｂと、前記主座板２ａと補助座板２ｂとの下方で、地面と接触して椅子の構造を支持するベース３と、上端部が前記主座板２ａの底面に固定され、下端部が前記ベース３に固定された伸縮支持ユニット６０１と、一端が前記補助座板２ｂに回動可能に固定され、他端が前記伸縮支持ユニット６０１に回動可能に固定された補助座板支持連結棒３０３と、を備えることを特徴とする。
【０００８】
前記目的を達成するために、本発明により提供されたさらに他の立ち座り便利な椅子は、ユーザの臀部が触れて座る座板２と、上端部が前記座板２の後方部分に回動可能に固定され、下端部が前記座板２の前方部分の下方で、地面に接触して支持される伸縮支持ユニット６０２と、上端部が前記座板２の前方部分に回動可能に固定され、下端部が前記座板２の後方部分の下方で、地面に接触して支持される第２支持ロッド１２と、を備え、前記伸縮支持ユニット６０２は、下端部が地面と接触して支持される第１支持ロッド１１、及び下端部が前記第１支持ロッド１１と連結され、上端部が前記座板２の後方部分に連結されたショックアブソーバー１５を備え、前記第１支持ロッド１１と前記第２支持ロッド１２とは、互いにＸ字形態に交差された状態で、ロッド締結ピン４００により互いに回動可能に結合されたことを特徴とする。
【０００９】
本発明の明細書では、前記目的を達成するための構成として、一旦、座板が角度の変化によって下方に滑らかに動く幾つかの実施形態を提示する。しかし、本発明の目的を達成するための構造的な形態は、本発明の明細書に説明された以外にも、非常に多様な形態があるので、本発明の範囲は、添付された図面及びそれに関する説明により制限されない。
【００１０】
また、本発明の実施形態において、椅子の座板の下降／上昇動作を行うショックアブソーバー及び／またはスプリングは、別途の外部動力によって作動する電動シリンダ、油圧シリンダまたはガス圧シリンダなどに代替可能である。したがって、本発明は、ユーザの体重をのせたり除去することで、座板の角度の変化によって下降／上昇動作が手動方式で進められる椅子だけでなく、電動シリンダのように外部動力によって作動する器具装置により、強制的に座板の角度の変化によって下降／上昇動作が進められる椅子も、その権利範囲内に含む。
【発明の効果】
【００１１】
本発明による立ち座り便利な椅子は、腰、足関節などの不便な高齢者や患者が利用すれば、困難さなしに容易かつ安全に座ったり、立ったりすることができるので、日常生活をより安楽に生活するように助ける効果がある。特に、本発明による 立ち座り便利な椅子は、単純な椅子形態だけでなく、便座の構造にも適用できるなど多方面で応用可能であるので、今後、高齢者、患者及び障害者の日常生活での福祉向上を実現するのに大きく貢献するものと期待される。
【図面の簡単な説明】
【００１２】
【図１】本発明の第１実施形態による立ち座り便利な椅子１の斜視図である。
【図２】本発明の第１実施形態による立ち座り便利な椅子の側面概略図であって、椅子１の座板２が上がっている状態を示す。
【図３】本発明の第１実施形態による立ち座り便利な椅子の側面概略図であって、ユーザＰが椅子１の座板２に完全に座って、座板２が下がった状態を示す。
【図４】図３の状態において、椅子に座ったユーザＰが椅子１から立とうとして、体重を少し前方に移動させるか、あるいは立とうとする若干の動作を取った場合に、ショックアブソーバー１５内のスプリングの弾性力によってショックアブソーバー１５が伸張することで、座板２が少し上方に押して上がった状態を示す図面である。
【図５】本発明による立ち座り便利な椅子に適用されたショックアブソーバー１５の構造の一例を示す図面である。
【図６】図５において、ショックアブソーバー１５が最大に収縮した状態を示す図面である。
【図７】図５において、ショックアブソーバー１５が最大に伸張した状態を示す図面である。
【図８】本発明による椅子１に使われるショックアブソーバー１５ａの構造の他の例を示す図面であって、外部ハウジング１５５外のピストンロッド１６上に外部スプリング１５８ａが装着された状態を示す。
【図９】本発明による椅子１に使われるショックアブソーバー１５ｂの構造のさらに他の例を示す図面であって、ショックアブソーバー１５ｂの作動程度を調節したり、作動を停止させたりする調節ノブ１７０が設置された構造を示す。
【図１０】本発明による椅子１に使われるショックアブソーバー１５ｂの構造のさらに他の例を示す図面であって、ショックアブソーバー１５ｂの作動程度を調節したり、作動を停止させたりする調節ノブ１７０が設置された構造を示す。
【図１１】図９及び図１０に示したショックアブソーバー１５ｂが装着された椅子を全体的に示す概略図である。
【図１２】本発明の第２実施形態による立ち座り便利な椅子１ａの概略斜視図である。
【図１３】図１２の椅子１ａの側面概略図であって、まだユーザが椅子に完全に座っていない状態を示す。
【図１４】図１２の椅子１ａの側面概略図であって、ユーザが椅子に完全に座って、椅子の座板２ａ，２ｂが下がった状態を示す。
【図１５】図１２の椅子１ａの側面概略図であって、ユーザが椅子から立とうとする時に、スプリング２０３の弾性力によってショックアブソーバー３１０が伸張するところを示す。
【図１６】本発明の第３実施形態による立ち座り便利な椅子１ｂを示す図面であって、椅子１ｂをＸ字形態に支持する第１支持ロッド１１と第２支持ロッド１２とが、ロッド締結ピン４００により固定的に支持され、第１支持ロッド１１の下端部がホイール３１ａにより移動可能な構造を示す。
【図１７】本発明の第３実施形態による立ち座り便利な椅子１ｂを示す図面であって、椅子１ｂをＸ字形態に支持する第１支持ロッド１１と第２支持ロッド１２とが、ロッド締結ピン４００により固定的に支持され、第１支持ロッド１１の下端部がホイール３１ａにより移動可能な構造を示す。
【図１８】本発明の第４実施形態による立ち座り便利な椅子１ｃを示す図面であって、椅子１ｃをＸ字形態に支持する第１支持ロッド１１と第２支持ロッド１２とが、ロッド締結ピン４００により固定的に支持され、第２支持ロッド１２の下端部がホイール３２ｂにより移動可能な構造を示す。
【図１９】本発明の第４実施形態による立ち座り便利な椅子１ｃを示す図面であって、椅子１ｃをＸ字形態に支持する第１支持ロッド１１と第２支持ロッド１２とが、ロッド締結ピン４００により固定的に支持され、第２支持ロッド１２の下端部がホイール３２ｂにより移動可能な構造を示す。
【図２０】本発明の第５実施形態による立ち座り便利な椅子１ｄの作動状態を示す図面である。
【図２１】本発明の第５実施形態による立ち座り便利な椅子１ｄの作動状態を示す図面である。
【図２２】本発明の第６実施形態による立ち座り便利な椅子１ｅの作動状態を示す図面である。
【図２３】本発明の第６実施形態による立ち座り便利な椅子１ｅの作動状態を示す図面である。
【図２４】本発明の第７実施形態による立ち座り便利な椅子１ｆの作動状態を示す図面である。
【図２５】本発明の第７実施形態による立ち座り便利な椅子１ｆの作動状態を示す図面である。
【図２６】本発明の第８実施形態による立ち座り便利な椅子１ｇの斜視図であって、図１２の椅子１ａの構造を若干変更したものである。
【図２７】本発明の第９実施形態による立ち座り便利な椅子１ｈの概略構成図である。
【図２８】図２７の椅子１ｈの側背面斜視図である。
【図２９】本発明の第１０実施形態による立ち座り便利な椅子１ｉの作動状態を示す図面である。
【図３０】本発明の第１０実施形態による立ち座り便利な椅子１ｉの作動状態を示す図面である。
【図３１】本発明の第１１実施形態による立ち座り便利な椅子１ｊの作動状態を示す図面である。
【図３２】本発明の第１１実施形態による立ち座り便利な椅子１ｊの作動状態を示す図面である。
【図３３】本発明の第１１実施形態による立ち座り便利な椅子１ｊの作動状態を示す図面である。
【発明を実施するための形態】
【００１３】
本発明により提供された立ち座り便利な椅子の最良の形態は、ユーザの臀部が触れて座る座板２と、前記座板２の下方で地面と接触して、椅子の構造を支持するベース３と、上端部が前記座板２の後方部分に回動可能に固定され、下端部が前記ベース３の前方部分に回動可能に固定される伸縮支持ユニット６００と、上端部が前記座板２の前方部分に回動可能に固定され、下端部が前記ベース３の後方部分に回動可能に固定される第２支持ロッド１２と、下端部が前記ベース３に固定され、前記伸縮支持ユニット６００と第２支持ロッド１２との間に配置され、前記伸縮支持ユニット６００と前記第２支持ロッドとの回動経路を案内するガイドロッド１３とを備える。
【００１４】
以下、添付した図面を参照して、本発明による立ち座り便利な椅子の構造及び作用効果を詳しく説明する。
【００１５】
図１は、本発明の第１実施形態による立ち座り便利な椅子１の斜視図である。本発明の第１実施形態による椅子１は、ユーザの臀部が触れて座る座板２が、その下部でＸ字形態に交差された構造で結合された伸縮支持ユニット６００と第２支持ロッド１２とにより支持され、前記伸縮支持ユニット６００は、第１支持ロッド１１とショックアブソーバー１５とが結合された構造となっている。
【００１６】
前記第１支持ロッド１１と前記第２支持ロッド１２とは、座板２の下部で地面と接しているベース３に回動可能に結合される。すなわち、前記第１支持ロッド１１は、その上端部がショックアブソーバー１５に結合され、その下端部は、ベース３の前方部分にある第１下部連結ヒンジ３１に回動可能に結合され、前記第２支持ロッド１２は、その上端部が座板２の前方の底面に設置された第１上部連結ヒンジ２１に回動可能に結合され、その下端部は、前記ベース３の後方部分にある第２下部連結ヒンジ３２に回動可能に結合される。そして、前記ショックアブソーバー１５の伸縮可能なピストンロッド１６は、前記座板２の後方部分に設置された第２上部連結ヒンジ２２に回動可能に結合される。
【００１７】
図１に示したように、本発明の椅子１は、左右側にそれぞれ一つずつ第１支持ロッド１１、ショックアブソーバー１５、第２支持ロッド１２及びガイドロッド１３が設けられて、椅子１の両側をそれぞれ支持するので、以下では、一側のみを対象として構成及び作動方式を説明する。
【００１８】
前記第１支持ロッド１１と第２支持ロッド１２とは、互いにＸ字形態に交差された形態で設置され、その全長のうち一部には、長手方向に沿って長い溝１１ａ，１２ａが形成されている。また、前記第１支持ロッド１１と第２支持ロッド１２との間に配置されたガイドロッド１３も、その全長のうち一部に、長手方向に沿って長い溝の形態にガイド長溝１３ａが形成されている。前記第１支持ロッド１１、第２支持ロッド１２及びガイドロッド１３は、それ自体に形成された長い溝、すなわち、第１移動溝１１ａ、第２移動溝１２ａ及びガイド長溝１３ａを通じて、支持ロッド連結ピン１７がはめ込まれることで、互いに結合位置が可変する方式で結合されている。したがって、次の図２ないし図４に示したように、ガイドロッド１３に設けられたガイド長溝１３ａに沿って、第１支持ロッド１１と第２支持ロッド１２との結合位置が連続的に変更されることで、本発明の椅子１は、座板２が最大に上がって傾いた状態（図１及び図２）から、座板２が最大に下がって平らな位置に置かれた状態（図３）まで姿勢が変わる。
【００１９】
一方、前記ガイドロッド１３は、その下端部がベース３に固定され、固定部３３がガイドロッド１３の位置を定めるので、ガイドロッド１３は、第１支持ロッド１１（すなわち、伸縮支持ユニット６００）及び第２支持ロッド１２の結合位置に関係なく、いつも一定の位置を維持できる。
【００２０】
図２は、本発明の第１実施形態による立ち座り便利な椅子１の側面概略図であって、椅子１の座板２が上がっている状態を示す。
【００２１】
図２を参照すれば、本発明による椅子１は、ユーザが座っていない状態では、座板２が前方に向かって２０〜４５゜ほど傾いており、第１支持ロッド１１、第２支持ロッド１２及びガイドロッド１３を互いに締結させた支持ロッド連結ピン１７は、前記ガイド長溝１３ａの最上位の位置に上がっている。また、このように、座板２に体重が加えられていない状態では、第１支持ロッド１１の第１連結溝１１ａと、第２支持ロッド１２の第２連結溝１２ａとにおいても、最上位の位置で支持ロッド連結ピン１７が位置している。
【００２２】
しかし、ユーザＰが臀部を座板２につけて座ろうとすれば、ユーザの体重が座板２に加えられ始めつつ、前記伸縮支持ユニット６００のショックアブソーバー１５が徐々に収縮し始める。すなわち、ピストンロッド１６がショックアブソーバー１５内に入りつつ、伸縮支持ユニット６００の全長が短くなると共に、図２に示した状態を基準として、第１支持ロッド１１が第１下部連結ヒンジ３１を基準として時計回り方向に回転する。
【００２３】
そして、この時、第１支持ロッド１１と交差して配置された第２支持ロッド１２は、図２に示した状態を基準とする時、第２下部連結ヒンジ３２を中心に逆時計回り方向に回転する。その結果、支持ロッド連結ピン１７の位置は、ガイドロッド１３のガイド長溝１３ａの下方に次第に移動し、同様に、第１支持ロッド１１の第１移動溝１１ａ及び第２支持ロッド１２の第２移動溝１２ａに対しても、下方に移動する。
【００２４】
本発明の立ち座り便利な椅子１の最大の特徴は、ユーザがどんと椅子に座っても、座板２を支持するショックアブソーバー１５で衝撃を吸収して、徐々に収縮することで、座板２の角度が傾いていたのが徐々に水平になりつつ、徐々かつ安全に座板２が下がるという点にある。すなわち、本発明の椅子１は、座板の角度が徐々に変化しつつ少し下がって、ユーザが座るのに楽な姿勢を提供するという長所がある。したがって、腰、足関節の不便な人々、高齢者及び障害者でも、本発明の立ち座り便利な椅子１を使用すれば、他人の助けを借りたり、椅子に手でつけたりする必要なく、身を投げ出すように椅子に体重を加えることで、安全に椅子に座ることが可能である。
【００２５】
図３は、本発明の第１実施形態を説明する側面概略図であって、ユーザＰが椅子１の座板２に完全に座って、座板２が下がった状態を示す。図３を参照すれば、座板２が平らな状態を維持しており、第１支持ロッド１１、第２支持ロッド１２及びガイドロッド１３は、それぞれの溝１１ａ，１２ａ，１３ａの最下位に支持ロッド連結ピン１７が位置している。
【００２６】
前述したように、第１支持ロッド１１、第２支持ロッド１２及びガイドロッド１３に形成された長溝１１ａ，１２ａ，１３ａは、各ロッド１１，１２，１３相互間の結合位置を案内し、座板２の上方の最大移動位置（図２）と下方の最大移動位置（図３）とを保証する役割を行う。すなわち、椅子１の座板２が上方に最大に上がった状態（図２）は、前記長溝１１ａ，１２ａ，１３ａの上端部で支持ロッド連結ピン１７がぶつかって、それ以上の移動が遮断されることによって確保され、椅子１の座板２が下方に最大に下がった状態（図３）は、前記長溝１１ａ，１２ａ，１３ａの下端部で支持ロッド連結ピン１７がぶつかって、それ以上の移動が遮断されることによって確保される。
【００２７】
図４は、図３の状態において、椅子に座ったユーザＰが椅子１から立とうとして、体重を少し前方に移動させるか、あるいは立とうとする若干の動作を取った場合に、ショックアブソーバー１５内のスプリングの弾性力によって、ショックアブソーバー１５が伸張することで、座板２が少し上方に押して上がった状態を示す。
【００２８】
本発明の立ち座り便利な椅子１は、腰や足関節の不便な人々が容易に座ることができるだけでなく、逆に立とうとする時にも、体重を椅子の前方に少し移動させるか、あるいは臀部を少し持ち上げるようにして立とうとすれば、ショックアブソーバー１５内に内装されたスプリング１５８（図５）の弾性力によって、ショックアブソーバー１５が伸張し、その結果、座板２の角度が傾きつつ上方に移動するので、その力によって容易に立つことができるという長所がある。
【００２９】
図４に示したように、椅子に座ったユーザＰが立とうとしつつ、体重を前方に移動させるか、あるいは臀部を少し持ち上げれば、座板２の後方部分に結合されたショックアブソーバー１５が伸張し、その結果、座板２が上方に少し上昇しつつ、角度が前方に傾いて、ユーザが容易に立ち上がることができる。
【００３０】
腰や足関節の不便な人々が椅子から立とうとする時、椅子の座板２が若干臀部を支えて上に持ち上げる力を発揮すれば、はるかに容易に立つことができる。本発明の椅子１は、かかる必要性を把握して、ショックアブソーバーとスプリングとの結合構造によって、座板２を弾力的に支持することで、体重の一部が除去された場合、直ちにスプリングの弾性力によって、ショックアブソーバー１５が座板２を上側に押すように設計した。その結果、本発明の立ち座り便利な椅子は、ユーザが椅子から立つ時にも、既存の一般の椅子と比較できないほど、便利かつ安全に立つように助けるという長所がある。
【００３１】
図５ないし図７は、本発明の立ち座り便利な椅子に適用されたショックアブソーバー１５の構造の一例を示す断面図である。
【００３２】
本発明の立ち座り便利な椅子において、第１支持ロッド１１と結合されて設置されるショックアブソーバー１５の構造及び仕様は、具体的な場合によって非常に多様に設定する。また、現在市販のショックアブソーバー（いわゆる‘ショバー’という）が非常に多様であるので、それらを適切に活用することも可能である。本明細書で説明するショックアブソーバー１５の構造は、本発明の立ち座り便利な椅子に適用される多様なショックアブソーバーのうち一つに関する例であるので、本発明の権利範囲が、以下のショックアブソーバーの構造に関する説明及び図面に特に限定されないことを理解できるであろう。
【００３３】
図５の断面図を参照すれば、本発明の立ち座り便利な椅子に適用されるショックアブソーバー１５は、円筒状の外部ハウジング１５５内に内部シリンダ１６０が設置され、その内部シリンダ１６０の内部空間１６１，１６２内に、ピストンロッド１６が移動可能に設置された構造となっている。前記外部ハウジング１５５の下端部（すなわち、第１支持ロッド１１と結合される部分）には、下部カバー１５５ａが結合され、その反対側の上端部（すなわち、ピストンロッド１６が通過する部分）には、上部カバー１５５ｂが結合される。
【００３４】
前記外部ハウジング１５５の内部空間には、すべて作動流体、すなわち、オイル１５７が満たされる。ショックアブソーバーの場合、ガス（窒素ガスなど）を満たした製品もあるが、一旦、本発明ではオイルを作動流体として採択した場合を例として説明する。前記内部シリンダ１６０の下端部には、第１オリフィス１５１という複数個の孔が形成されており、内部シリンダ１６０内外の作動流体１５７（オイル）が互いに移動する。一方、前記内部シリンダ１６０の上端部には、第３オリフィス１５３という他の孔が形成されており、前記第３オリフィス１５３と隣接した位置で、前記内部シリンダ１６０と外部ハウジング１５５との間には、第２オリフィス１５２が形成されているので、この第２オリフィス１５２と第３オリフィス１５３とを通じてオイルが移動する。
【００３５】
前記内部シリンダ１６０の内側に入っているピストンロッド１６のヘッド１６ａは、スプリング１５８により常時ショックアブソーバー１５の外方に弾性力を受ける。前記ショックアブソーバー１５が収縮するためには、内部シリンダ１６０の第１内部空間１６１内にあるオイル１５７が、第１オリフィス１５１を通じて外部空間１６３に抜け出る一方、外部空間１６３のオイルが、第２オリフィス１５２及び第３オリフィス１５３を通じて、内部シリンダ１６０の第２内部空間１６２内に移動せねばならない。しかし、前記第１ないし第３オリフィス１５１，１５２，１５３は、適切に小さいサイズで形成されており、ピストンロッド１６の移動によりオイル１５７が圧力を受けても、そのオイルがオリフィス１５１，１５２，１５３を通じて一回に移動できないため、オイルの移動速度に合わせて、ショックアブソーバー１５の収縮動作は徐々に行われる（図６）。
【００３６】
逆に、ショックアブソーバー１５に加えられた外部荷重が除去されて、スプリング１５８の弾性力によりショックアブソーバー１５が伸張する場合には、内部シリンダ１６０の第２内部空間１６２内にあったオイル１５７が、第３オリフィス１５３及び第２オリフィス１５２を経て外部空間１６３に移動し、外部空間１６３のオイルが、第１オリフィス１５１を経た内部シリンダ１６０の第１内部空間１６１に入る。この時にも、オイルが狭いオリフィス１５１，１５２，１５３を通過する速度に合わせて、ピストンロッド１６が外方に移動するので、ショックアブソーバー１５の伸張動作も徐々に行われる（図７）。
【００３７】
このように、ショックアブソーバー１５が力を受ける方向に徐々に作動することで、本発明の椅子の座板２が徐々に昇降するのである。
【００３８】
一方、前記ショックアブソーバー１５の下部カバー１５５ａは、溶接その他の方法により、前記第１支持ロッド１１に結合される。図５ないし図１０において、１１ｂは、第１支持ロッド１１と下部カバー１５５ａとの溶接部位を指す。
【００３９】
図６は、図５において、ショックアブソーバー１５が最大に収縮した状態を示した断面図である。図６を参照すれば、座板２に加えた荷重（ユーザの体重）により、ピストンロッド１６は、内部シリンダ１６０の内方に最も深く入っており、スプリング１５８は、ピストンヘッド１６ａにより最大に圧縮されている。
【００４０】
図７は、図５において、ショックアブソーバー１５が最大に伸張した状態を示した断面図である。図７のように、ユーザの体重が座板２から完全に除去されて、スプリング１５８の弾性力のみがピストンヘッド１６ａに作用する場合には、ピストンロッド１６が内部シリンダ１６０から最大に抜け出ている。
【００４１】
図８は、本発明による椅子１に使われるショックアブソーバー１５ａの構造の他の例を示す断面図であって、外部ハウジング１５５外のピストンロッド１６上に、外部スプリング１５８ａが装着された状態を示す。
【００４２】
図５ないし図７の断面図は、ショックアブソーバー１５の内部にスプリング１５８が装着された状態を示したが、スプリングは、必ずしもショックアブソーバー１５の内部に限定される必要はなく、ショックアブソーバー１５の外部に設けられてもよい。図８がそのような例であって、内部シリンダ１６０の内部空間には、スプリングが設置されず、その代わりに上部カバー１５５ｂと隣接した位置に、外部スプリング１５８ａがピストンロッド１６の周囲に巻きつけられている。この時、前記ピストンロッド１６の所定の位置にスプリング固定突起１５８ｂを形成することで、前記外部スプリング１５８ａの弾性力をピストンロッド１６に伝達することが望ましい。
【００４３】
図９及び図１０は、本発明による椅子１に使われるショックアブソーバー１５ｂの構造のさらに他の例を示す断面図であって、ショックアブソーバー１５ｂの作動程度を調節したり、作動を停止させたりする調節ノブ１７０が設置された構造を示す。
【００４４】
本発明による立ち座り便利な椅子は、座板２が上下に移動可能であるが、必要に応じては、座板２が動かないように固定させるか（例えば、図３に示した状態のまま固定させる）、あるいはショックアブソーバー１５の反応速度に関する強弱程度を調節する必要がある。このために、図９及び図１０では、ショックアブソーバー１５にオイル１５７が通過する経路を遮断するか、またはその経路の断面積を調節する調節ブロック１７１を設置し、その調節ブロック１７１の位置を外部から可変させる調節ノブ１７０を共に設置した。
【００４５】
図９では、調節ブロック１７１が第２オリフィス１７０を遮断しない状態であるので、図５ないし図８の場合と同様に、オイル１５７が正常にショックアブソーバー１５内で流動する。しかし、図１０に示したように、調節ブロック１７１が第２オリフィス１５２（あるいは、第３オリフィス１５３も共に）を遮断すれば、オイル１５７が内部シリンダ１６０の内外に移動できないため、結局、ショックアブソーバー１５にロックがかかった状態（すなわち、ロックアウト）となる。
【００４６】
図１１は、図９及び図１０に示したショックアブソーバー１５ｂが装着された椅子を全体的に示す概略図である。
【００４７】
したがって、本発明の立ち座り便利な椅子は、ショックアブソーバー１５ｂに設置された調節ノブ１７０を手で操作することで、椅子の反応速度を調節したり、ショックアブソーバー１５ｂをロックしたりする。
【００４８】
前述した図９及び図１０では、ショックアブソーバー１５ｂの第２オリフィス１５２及び第３オリフィス１５３の位置で、調節ブロック１７１が設置されたものを例として構造を説明したが、これと異なり、第１オリフィス１５１の位置に、調節ブロック１７１と調節ノブ１７０とを設置することも可能である。すなわち、本発明において、ロックアウトを可能にする調節ノブ１７０の設置位置は、全体のオリフィス１５１，１５２，１５３のうちどこでもよく、その設置位置に関して特に限定する必要はない。
【００４９】
図１２は、本発明の第２実施形態による立ち座り便利な椅子１ａの概略斜視図である。図１２を参照すれば、本発明の立ち座り便利な椅子１ａは、主座板２ａと補助座板２ｂとが前後に連結され、主座板２ａは、その下の伸縮支持ユニット６０１により、ベース３上に支持される構造となっている。
【００５０】
前記主座板２ａと補助座板２ｂとは、連結部材２ｃにより互いに若干の位置及び距離の変動が可能であるように連結され、伸縮支持ユニット６０１の上端部は、前記主座板２ａの底面に固定され、その下端部は、前記ベース３に固定される。一方、前記補助座板２ｂは、他端が前記伸縮支持ユニット６０１に回動可能に固定された補助座板支持連結棒３０３と連結されることで、前記ヒンジ連結部３０２を中心に所定の角度ほど回動する。
【００５１】
図１３ないし図１５は、図１２の椅子１ａの側面概略図であって、図１３は、まだユーザが椅子に完全に座っていない状態を示し、図１４は、ユーザが椅子に完全に座って、椅子の座板２ａ，２ｂが下がった状態を示し、図１５は、ユーザが椅子から立とうとする時に、スプリング２０３の弾性力によって、ショックアブソーバー３１０が伸張するところを示す。
【００５２】
図１２及び図１３を参照すれば、前記ベース３上に起立した状態で設置された伸縮支持ユニット６０１は、外筒３００と、その外筒３００内に設置されたショックアブソーバー３１０と、前記ショックアブソーバー３１０の上方に連結されたスピンドル２００とで構成される。前記スピンドル２００の周囲には、スプリング２０３が巻きつけられており、スピンドル２００上の所定の位置には、上部スプリング固定突起２０１が設けられているので、前記スピンドル２００は、スプリング２０３の弾性力により伸張した状態を維持しようとする方向に力を受ける。一方、前記外筒３００の外周面の所定の位置には、下部スプリング固定突起２０２が設けられている。
【００５３】
ユーザＰが前記主座板２ａ及び補助座板２ｂに座ろうとしつつ、座板２ａ，２ｂに体重を加えれば、前記スピンドル２００は、スプリング２０３の弾性力にまさって外筒３００内に入るが、この時、ショックアブソーバー３１０が衝撃量を吸収して徐々に収縮するので、スピンドル２００は、徐々に外筒３００の内部に挿入される。
【００５４】
図１４は、本発明の第２実施形態による立ち座り便利な椅子１ａが完全に下方に移動した状態を示すが、この時、スプリング２０３は、上部スプリング固定突起２０１と下部スプリング固定突起２０２との間で最大に圧縮されており、ショックアブソーバー３１０も最小の長さ状態に収縮している。図１３に示したように、主座板２ａが下降する以前には、補助座板２ｂが約３０〜６０゜前方に向かって傾いているが、図１４のように、主座板２ａが完全に下降した状態では、前記補助座板２ｂが主座板２ａとほぼ同じ平面で平らな位置に置かれる。
【００５５】
また、図１３及び図１４に示したように、前記補助座板２ｂを支持する補助座板連結支持棒３０３は、その下端部が外筒３００のヒンジ連結部３２１に固定されることで、回動可能に支持されるので、前記補助座板２ｂの移動経路をガイドする役割を担う。
【００５６】
一方、図１５に示したように、椅子１ａに座ったユーザＰが立つために体重を少し前方に移動させるか、あるいは臀部を少し持ち上げる動作を取れば、スプリング２０３の弾性力によって、スピンドル２００が外筒３００の外方に抜け出るので、主座板２ａが上方に移動する力を受ける。本発明の椅子は、かかる作用メカニズムにより、椅子に座る時には、どんと座っても、徐々かつ安全に椅子に座ることができ、逆に椅子から立とうとする時には、少し臀部を持ち上げるか、または体重を前方に動かせば、主座板２ａが上方に押して上がる力を感じるので、ユーザＰは、困難さなしに楽に立つことができるという長所がある。
【００５７】
図１３及び図１４を参照すれば、本発明の第２実施形態による椅子１ａは、座って立つ動作をより自然にするために、伸縮支持ユニット６０１がベース３に立設される角度、すなわち、外筒３００がベース３に立設される角度αを、直角（９０゜）より少し小さい角度に設定することが望ましい。望ましい例としては、前記外筒３００が補助座板２ａに向かう方向を基準として、約８０〜８９゜に設置され、さらに望ましくは、約８４〜８７゜に傾いて設置されるものと判断される。
【００５８】
図１２ないし図１５において、３０１は、前記外筒３００をベース３上に固定させる支持フランジを指す。
【００５９】
図１６及び図１７は、本発明の第３実施形態による立ち座り便利な椅子１ｂを示すものであって、椅子１ｂをＸ字形態に支持する第１支持ロッド１１と第２支持ロッド１２とが、ロッド締結ピン４００により固定的に支持され、第１支持ロッド１１の下端部がホイール３１ａにより移動可能な構造を示す。
【００６０】
図１６及び図１７に示した本発明の第３実施形態による椅子１ｂは、前述した第１実施形態の場合と類似しているが、ガイドロッド１３がなく、第１支持ロッド１１及び第２支持ロッド１２にも移動溝１１ａ，１１ｂ（図１ないし図４）がなく、ロッド締結ピン４００により一つの位置のみで互いに締結されるという点で差がある。
【００６１】
図１６及び図１７を参照すれば、本発明の第３実施形態は、椅子１ｂの座板２の前方部分を支持する部材（すなわち、第２支持ロッド１２）が地面に触れる部分は、位置が固定され、その代わりに、椅子１ｂの座板２の後方部分を支持する部材（すなわち、第１支持ロッド１１）が地面に触れる部分は、ホイール３１ａがあり、前後に移動可能であるという特徴がある。
【００６２】
第１支持ロッド１１と第２支持ロッド１２とがＸ字形態に交差して結合された状態で、第１実施形態のロッド１２ａ，１３ｂ（図１ないし図４）のように、各ロッド１１，１２の締結位置が移動せずにも、座板２の上下移動を可能にするためには、図１６及び図１７に示したように、第１支持ロッド１１の下端部と、第２支持ロッド１２の下端部との距離を可変させねばならない。すなわち、座板２が上昇した状態では、第１支持ロッド１１の下端部に形成されたホイール３１ａが、第２支持ロッド１２の下端部に形成されたベース３と近くなり（図１６）、座板２が下降した状態では、第１支持ロッド１１の下端部に形成されたホイール３１ａと、第２支持ロッド１２の下端部のベース３との距離が遠くなる。
【００６３】
図１６及び図１７において、３２ａは、第２支持ロッド１２をベース３に連結する下部連結ヒンジを指す。
【００６４】
本発明の第３実施形態において、第１支持ロッド１１と第２支持ロッド１２との締結位置が、ロッド締結ピン４００により一つに固定された以外には、その他の構成は、前述した第１実施形態の場合と同一であるので、残りの部分に関する詳細な説明は省略する。
【００６５】
図１８及び図１９は、本発明の第４実施形態による立ち座り便利な椅子１ｃを示すものであって、椅子１ｃをＸ字形態に支持する第１支持ロッド１１と第２支持ロッド１２とが、ロッド締結ピン４００により固定的に支持され、第２支持ロッド１２の下端部がホイール３２ｂにより移動可能な構造を示す。
【００６６】
本発明の第４実施形態は、前述した第３実施形態と逆の場合を説明したものであって、ショックアブソーバー１５が設置された第１支持ロッド１１の下端部は、ベース３により固定されており、残りの第２支持ロッド１２の下端部は、ホイール３２ｂにより前後に移動可能に構成されている。
【００６７】
図１８及び図１９において、３１ｂは、第１支持ロッド１１をベース３に連結する下部連結ヒンジを指す。
【００６８】
図２０及び図２１は、本発明の第５実施形態による立ち座り便利な椅子１ｄの作動状態を示すものである。図２０及び図２１を参照すれば、椅子１ｄの座板２の下方に、第１支持ロッド４０１と第２支持ロッド４０２とがＸ字形態に交差して配置されるが、前述した実施形態と異なり、第１支持ロッド４０１の上端部が、椅子の座板２に直接的に結合されない。その代わりに、第１支持ロッド４０１の上端部には、他の連結ロッド６５０の一方の端部が、締結ピン６５１により回動可能に結合され、前記連結ロッド６５０の他方の端部が、椅子の座板２に形成された第３上部連結ヒンジ２３により回動可能に結合される。
【００６９】
前記第１支持ロッド４０１と第２支持ロッド４０２との互いに交差する部分は、ロッド締結ピン４００により回動可能に締結されている。そして、前記第３上部連結ヒンジ２３と前記ロッド締結ピン４００との間には、ショックアブソーバー４５０が設置される。前記ショックアブソーバー４５０は、ユーザが椅子１ｄに座る時には、その衝撃を吸収して徐々に収縮することで、座板２の角度が変化しつつ（傾いたものが水平になる）下がるようにし、逆にユーザが椅子１ｄから立つ時には、ショックアブソーバー４５０内に内装されたスプリング（あるいは、図示していないが、ショックアブソーバー４５０のピストンロッド４５１の周囲に設置されたスプリング）の弾性力が発揮して徐々に伸張することで、座板２の角度を徐々に変化させつつ（水平になっていたものが前方に向かって傾く）上に押し上げる。
【００７０】
このように、前記第３上部連結ヒンジ２３は、ショックアブソーバー４５０に力を加え、かつショックアブソーバー４５０から力を受ける役割を行うので、椅子の下降及び上昇動作に必要な力の作用地点となる。
【００７１】
一方、前記第３上部連結ヒンジ２３は、座板２の後方端部ではない前端と後端との間にある地点に設置される。前記第３上部連結ヒンジ２３の位置は、座板２の前端と後端との間にある地点であればどこでもよいが、椅子１ｄの円滑な上昇及び下降動作を考慮し、また、座板２の上下移動距離及びＸ字形態の支持ロッド４０１，４０２が動く距離を比較的小さく維持するために、座板２の前端または後端にある程度近寄ったのが有利である。すなわち、図２０を基準とする時、第１上部連結ヒンジ２１と第３上部連結ヒンジ２３との距離Ｓ１は、連結ロッドの長さＳ２より小さく維持することが望ましく、特に約４０〜６０％にすることがさらに望ましい。
【００７２】
図２０及び図２１を参照すれば、前記第１支持ロッド４０１の下端部は、下部連結ヒンジ３１ｂによりベース３に回動可能に固定されることで、地面に対して位置が固定される。一方、前記第２支持ロッド４０２の下端部は、ホイール３２ｂがあるので、椅子の座板２が下降する時には、後方に移動する（図２１）。すなわち、椅子の座板２が最大に上昇した状態では、第２支持ロッド４０２のホイール３２ｂがＸ１の位置にあるが（図２０）、座板２が最大に下降した状態では、第２支持ロッド４０２のホイール３２ｂがＸ２の位置にａ１の距離ほど移動する（図２１）。
【００７３】
一方、前記座板２の前端部に設置された第１上部連結ヒンジ２１は、椅子の座板２が最大に上昇した時には、Ｙ１の位置にあり（図２０）、座板２が最大に下降した時には、Ｙ２の位置となって、全体的にｂ１の距離ほど下方に移動する（図２１）。
【００７４】
図２２及び図２３は、本発明の第６実施形態による立ち座り便利な椅子１ｅの作動状態を示すものである。図２２及び図２３に示した第６実施形態は、前述した第５実施形態と比較して、第１支持ロッド４０１の上端部と、第２支持ロッド４０２の下端部との間に、第２ショックアブソーバー４６０がさらに設置された点で差がある。前記第２ショックアブソーバー４６０は、第３上部連結ヒンジ２３とロッド締結ピン４００との間に設置された基本的な第１ショックアブソーバー４５０ａの作動力を補完する役割を行う。このように、二つのショックアブソーバー４５０ａ，４６０を設置すれば、椅子の下降及び上昇動作がより円滑かつ安定的に行われるものと予想される。
【００７５】
図２２及び図２３において、４５１ａは、第１ショックアブソーバー４５０ａのピストンロッドを指す。
【００７６】
図２４及び図２５は、本発明の第７実施形態による立ち座り便利な椅子１ｆの作動状態を示すものである。図２４及び図２５を参照すれば、基本支持ロッド５００の上端部は、椅子の座板２の前方部分に回動可能に固定され、基本支持ロッド５００の下端部は、前記座板２の後方部分の下方で、ベース３に回動可能に固定される。
【００７７】
そして、前記基本支持ロッド５００には、第１ショックアブソーバー５１０と第２ショックアブソーバー５２０とがそれぞれ結合される。第１ショックアブソーバー５１０は、ベース３と基本支持ロッド５００との間に設置されるが、第１ショックアブソーバー５１０の上端部は、前記基本支持ロッド５００上の第１締結点５３１ａで、第１ロッド締結ピン５３１により回動可能に固定され、その下端部は、ベース３に設置された第１下部連結ヒンジ３１に回動可能に固定される。
【００７８】
次いで、前記第２ショックアブソーバー５２０は、椅子の座板２と前記基本支持ロッド５００との間に設置されるが、第２ショックアブソーバー５２０の上端部は、椅子の座板２の後方に設置された第２上部連結ヒンジ２２に回動可能に固定され、その下端部は、前記基本支持ロッド５００上の第２締結点５３２ａで、第２ロッド締結ピン５３２により回動可能に固定される。
【００７９】
本発明の第７実施形態では、椅子の座板２が上昇及び下降する動作中にも、座板２の下方で地面と接触する部分の位置が動かず、ベース３によりそのままである。ただし、椅子の座板の位置のみが少し前方に下がっていて上がる式で移動する。すなわち、椅子１ｆの座板２が最大に上昇した状態では、椅子１ｆの座板２の第１上部連結ヒンジ２１がＹ３の位置にあるが（図２５）、椅子１ｆの座板２が最大に下降した状態では、座板２の第１上部連結ヒンジ２１がＹ４の位置に移動して、全体的にｂ２ほどの移動幅を有する（図２５）。
【００８０】
図２４及び図２５では、基本支持ロッド５００上に二つのショックアブソーバー５１０，５２０が結合される位置、すなわち、第１締結点５３１ａと第２締結点５３２ａとの位置が別途に設置されたものと示したが、前記締結点５３１ａ，５３２ａの位置を一つに合わせてもよい。すなわち、基本支持ロッド５００上の一つの地点で、第１ショックアブソーバー５１０の上端部と、第２ショックアブソーバー５２０の下端部とを一回に結合させることも可能である。
【００８１】
また、図２４及び図２５には、基本支持ロッド５００上の第１ショックアブソーバー５１０の固定位置（すなわち、第１締結点５３１ａ）を、第２ショックアブソーバー５２０の固定位置（すなわち、第２締結点５３２ａ）より下方にあるものと示したが、これと逆にしてもよい。すなわち、図２４及び図２５に示したところと逆にして、第１ショックアブソーバー５１０を基本支持ロッド５００に結合させる第１締結点５３１ａの位置を、第２ショックアブソーバー５１０を基本支持ロッド５００に結合させる第２締結点５３２ａの位置より上方に形成することも可能である。
【００８２】
図２６は、本発明の第８実施形態による立ち座り便利な椅子１ｇの斜視図であって、図１２の椅子１ａの構造を少し変更したものである。
【００８３】
図２６に示した第８実施形態の椅子１ｇは、前述した第２実施形態の椅子１ａの場合と比較する時、補助座板２ｂに連結された補助座板支持連結棒３０３が、伸縮支持ユニット６０１の外筒３００に固定されるものではなく、別途にベース３上に直立して設置された垂直支持台３５０に回動可能に固定されるという点で差がある。図２６の場合に、補助座板２ｂの動きは、補助座板支持連結棒３０３によって、垂直支持台３５０により左右両側で支持されるので、より安定した上下昇降が可能であるという長所がある。図２６において、３０２ａは、前記補助座板支持連結棒３０３の下端部を、前記垂直支持台３５０に回動可能に固定する締結ピンを指す。
【００８４】
図２７は、本発明の第９実施形態による立ち座り便利な椅子１ｈの概略構成図であり、図２８は、その側背面斜視図である。
【００８５】
図２７を参照すれば、椅子１ｈは、ユーザが臀部をつけて座る座板２と、その座板を一定の角度範囲内で回動可能に支持する座板支持台２５０とで構成される。そして、前記座板支持台２５０下には、下部支持部２６０とホイール２６１とが設置される。前記座板２と座板支持台２５０とは、回動軸ピン２５１により前端部で回動可能に結合され、前記座板２と座板支持台２５０との間に、トーションスプリング２５２の弾性力が作用するので、前記座板２は、座板支持台２５０に対して一定の角度ほど傾いて起立している。そして、前記座板２と座板支持台２５０との間には、ショックアブソーバー１５０が設置されることで、座板２の下向き動作時、その動きを徐々に進める役割を行う。
【００８６】
図２８を参照すれば、前記座板支持台２５０の後端部には、クッション２５３が設けられており、座板２が座板支持台２５０にほぼ触れるように下がった時に衝撃を吸収するようになっている。
【００８７】
本発明の第９実施形態による椅子１ｈは、トーションスプリング２５２とショックアブソーバー１５０とを結合して、ユーザが座る時、徐々に座板２の角度が平らになりつつ下がり、立とうとして体重を前方に加える時には、トーションスプリング２５２の弾性力によって容易に立てるようにするという長所がある。
【００８８】
図２９及び図３０は、本発明の第１０実施形態による立ち座り便利な椅子１ｉの作動状態を示すものである。
【００８９】
本発明の第１０実施形態による椅子１ｉは、前述した第２実施形態による椅子１ａと比較して、ベース３の前端部３ａが所定の角度β１ほど上方に傾いていることが特徴である。このようにベース３の前端部３ａが上がっていることで、前記椅子１ｉは、ユーザが椅子に座る前には、図２９のように少し前方に傾いている状態となるので、ユーザＰが座ろうとする時、容易に臀部を主座板２ａ及び補助座板２ｂに接触させるという長所がある。また、このように椅子１ｉの角度を前方に傾けることで、ユーザが座りつつ体重を座板２ａ，２ｂに加える時、スプリング２０３とショックアブソーバー３１０との抵抗にまさり、無難に座板２ａ，２ｂが下がるようにするという長所がある。
【００９０】
図３０は、ユーザＰが椅子１ｉに完全に座った状態を示し、この時、ベース３の前端部３ａが上方に傾いている。したがって、本発明の椅子１ｉは、まるでロッキングチェアのように、座る時は、椅子の中心が前方から後方に移動しつつ所定の角度動き、立つ時は、椅子の中心が後方から前方に移動しつつ所定の角度動く効果が得られる。また、前記椅子１ｉに背もたれ及び／またはひじかけを追加すれば、人々がより楽に椅子を使用できるであろう。
【００９１】
図３１ないし図３３は、本発明の第１１実施形態による立ち座り便利な椅子１ｊの作動状態を示すものである。第１１実施形態による椅子１ｊは、前記第２実施形態による椅子１ａと比較して、ベース３下に他の底板３ｂが設置され、前記底板３ｂの前端部に設けられた回転支持部３ｄの回転軸ピン３ｆにより、ベース３が所定の角度範囲内で回動可能に支持されたことを特徴とする。また、前記ベース３の前端部３ｃは、ベース３に対して所定の角度β２ほど上方に傾いている。
【００９２】
本発明の椅子１ｊは、普通図３１の状態のようになっていて、ユーザが座るためにベースの前端部３ｃを足で踏めば、ベース３が前方に回動しつつ、底板３ｂを除いた椅子１ｊの残りの構成部分がいずれも前方に傾く（図３２）。図３２の状態において、椅子の座板などがいずれも前方に傾けば、ユーザＰは、より楽に臀部や大腿部など身体部分を椅子の座板２ａ，２ｂに接触させるので、椅子をより容易に使用できる。
【００９３】
ユーザが体重を完全に椅子にのせて座った後には、体重によりスプリング２０３とショックアブソーバー３１０とが圧縮され、椅子の重心自体が完全に後方に置かれるので、ベース３の前端部３ｃは前方に傾く（図３３）。
【００９４】
本発明の第３実施形態ないし第７実施形態に適用されたショックアブソーバー１５，４５０，４５１ａ，４６０，５１０，５２０は、前述した図５ないし図１０に示したショックアブソーバーと同じであってもよく、その他の構造と作動方式を有するショックアブソーバーであってもよい。したがって、本発明の明細書及び図面で共に説明されたショックアブソーバーの構造以外にも、非常に多様なタイプのショックアブソーバーが本発明を具現するのに適切に利用される。
【００９５】
本発明の第３実施形態ないし第７実施形態では、ショックアブソーバーの外部にスプリングを装着した構造を具体的に図示していないが、ショックアブソーバーの外部で、ピストンロッドの周囲に別途のスプリングを装着した構造となったショックアブソーバーも、本発明の椅子の作動のためのショックアブソーバーとして活用可能である。
【００９６】
本発明の第１実施形態ないし第１１実施形態では、ショックアブソーバーを採用して、別途の外部動力（電気力、油圧あるいはガス圧）なしにも、ユーザが椅子に座ろうとしつつ、座板に体重を加えるか、あるいは椅子から立とうとしつつ、座板から体重を若干かけないようにする動作を取ることで、自然に座板の角度が変化しつつ、座板の下降及び上昇動作を行った。しかし、これと異なり、本発明は、前記各実施形態に含まれたショックアブソーバーの位置に、電動シリンダ（油圧シリンダ、またはガス圧シリンダも可能）を適用することで、外部動力により座板の下降及び上昇動作を行うことも可能である。したがって、本発明は、その実施形態に提示されたショックアブソーバーだけでなく、電動シリンダによる椅子の下降／上昇動作を行うことも、発明の保護範囲として含む。
【産業上の利用可能性】
【００９７】
以上、本発明の色々な実施形態について、その構成と作用効果を詳細に説明したが、本発明の立ち座り便利な椅子は、腰、臀部や膝関節に負担を与えずに楽に座って立つことが可能であるので、関節の不便な高齢者、障害者及び患者が日常生活をより楽に生活するのに広く活用できるものと予想される。
【００９８】
特に、本発明による立ち座り便利な椅子は、一般的な概念の椅子以外にも、便座にその原理を適用すれば、患者、高齢者及び障害者がトイレをより楽かつ安全に利用するのに大きく助けるものと期待される。身障や各種の疾患により体の調子が悪い人々の場合には、一人で便座に座って立つことが非常に困難であり、特にトイレを利用するという特性上、他人の助けを借りることも容易でない場合が多いが、本発明による立ち座り便利な椅子の構造を便座に適用すれば、座る時にも、どんと座ってもよいので、関節の負担なしに楽かつ安全に便座上に座ることが可能であり、また、立つ時にも、既存の便座の場合よりはるかに少ない力で十分に立つことができるので、障害者、高齢者あるいは患者が切に必要な日常事を、他人の助けなしにも一人で解決できるという長所がある。
【００９９】
したがって、本発明による立ち座り便利な椅子は、体の調子の悪い人々が日常生活をより楽に生活するように助けることで、今後高齢者、患者及び障害者の日常生活での福祉向上を実現するのに大きく貢献するものと期待される。
【図１】
2013527002.tif 000003
【図２】
2013527002.tif 000004
【図３】
2013527002.tif 000005
【図４】
2013527002.tif 000006
【図５】
2013527002.tif 000007
【図６】
2013527002.tif 000008
【図７】
2013527002.tif 000009
【図８】
2013527002.tif 000010
【図９】
2013527002.tif 000011
【図１０】
2013527002.tif 000012
【図１１】
2013527002.tif 000013
【図１２】
2013527002.tif 000014
【図１３】
2013527002.tif 000015
【図１４】
2013527002.tif 000016
【図１５】
2013527002.tif 000017
【図１６】
2013527002.tif 000018
【図１７】
2013527002.tif 000019
【図１８】
2013527002.tif 000020
【図１９】
2013527002.tif 000021
【図２０】
2013527002.tif 000022
【図２１】
2013527002.tif 000023
【図２２】
2013527002.tif 000024
【図２３】
2013527002.tif 000025
【図２４】
2013527002.tif 000026
【図２５】
2013527002.tif 000027
【図２６】
2013527002.tif 000028
【図２７】
2013527002.tif 000029
【図２９】
2013527002.tif 000030
【図３０】
2013527002.tif 000031
【図３１】
2013527002.tif 000032
【図３２】
2013527002.tif 000033
【図３３】
2013527002.tif 000034
【図２８】
2013527002.tif 000035
【国際調査報告】
2013527002.tif 000036
2013527002.tif 000037
2013527002.tif 000038
2013527002.tif 000039